(57)【要約】【課題】棚部材を支持する支持部によって貯蔵室の貯蔵スペースが狭くなることを抑制する。【解決手段】冷蔵庫本体５の貯蔵室７内の下部には、前方に突出する膨出部１９が形成されている。膨出部１９の縦壁１９ａと横壁１９ｂとの間の角部１９ｃに傾斜面部３３，３５が形成され、傾斜面部３３，３５相互間にフック３７ｂが形成される。棚部材２９は、棚部３１の左右方向中央の後部に、下方に向けて屈曲する後部外周リブ４５ａを備える。後部外周リブ４５ａをフック３７ｂに引っ掛けることで、棚部材２９の後部を冷蔵庫本体５に支持させる。【選択図】図１１
2020060320.tif 000002
【特許請求の範囲】
【請求項１】
冷蔵庫本体に設けられる貯蔵室と、
前記貯蔵室の内部に取り外し可能に設けられる棚部材と、
前記貯蔵室の内壁に設けられ、前記棚部材を支持する支持部と、を有し、
前記支持部は、前記貯蔵室の内壁の表面に対して凹んだ凹部に形成されていることを特徴とする冷蔵庫。
【請求項２】
前記貯蔵室は、後方側の内壁から前方に突出する膨出部が設けられ、前記膨出部に前記凹部が設けられていることを特徴とする請求項１に記載の冷蔵庫。
【請求項３】
前記貯蔵室の後方側の外側に、圧縮機を収容する機械室が形成され、前記機械室によって前記膨出部が形成されることを特徴とする請求項２に記載の冷蔵庫。
【請求項４】
前記貯蔵室の上部に当該貯蔵室を冷却する冷却器が設けられ、前記冷却器による冷気の自然対流によって前記貯蔵室を冷却する冷蔵庫であって、
前記膨出部は、前記貯蔵室の後方側の外側下部に設けられ、
前記膨出部の前面と上面との間の角部に前記凹部が形成され、
前記凹部は、前記膨出部の前面及び上面に対して傾斜する傾斜面部により構成され、
前記棚部材は、前記傾斜面部に設けられる前記支持部に支持された状態で後部が前記傾斜面部に対向していることを特徴とする請求項３に記載の冷蔵庫。
【請求項５】
前記棚部材は、前記支持部に支持された状態で、前記膨出部に対向する後部に、前記膨出部との間隔を大きくするように切り欠かれた切欠部が設けられていることを特徴とする請求項４に記載の冷蔵庫。
【請求項６】
前記貯蔵室の後方側に冷気が流通する冷気通路が設けられ、前記冷気通路を形成するカバー部材によって前記膨出部が形成されることを特徴とする請求項２に記載の冷蔵庫。
【請求項７】
前記膨出部に設けられる前記凹部によって、前記冷気通路側に突出する凸部が形成され、前記凸部は、前記冷気通路内における冷気の流れを整流する機能を有することを特徴とする請求項６に記載の冷蔵庫。
【請求項８】
前記貯蔵室の後方側に前記貯蔵室を冷却する冷却器が設けられ、前記冷却器の前記貯蔵室側を覆うカバー部材によって前記膨出部が形成されることを特徴とする請求項２に記載の冷蔵庫。
【発明の詳細な説明】
【技術分野】
【０００１】
本発明は、貯蔵室の内部に棚部材が設けられる冷蔵庫に関する。
【背景技術】
【０００２】
貯蔵物を載せる棚部材を、貯蔵室内で取り外し可能とする冷蔵庫が特許文献１に記載されている。棚部材は、奥側の端部に爪を有する。一方、貯蔵室の奥側に位置するダクトカバーの前面には、貯蔵室側に突出する突起部が、棚部材を支持する支持部として設けられている。棚部材は、爪を突起部に係止することで、貯蔵室に取り付けられる。
【先行技術文献】
【特許文献】
【０００３】
【特許文献１】特開２００３−３３６９６２号公報
【発明の概要】
【発明が解決しようとする課題】
【０００４】
棚部材が取り付けられる突起部は、ダクトカバーの前面から貯蔵室側に突出しているため、突起部が邪魔となって貯蔵室の貯蔵スペースが狭くなる。
【０００５】
そこで本発明は、棚部材を支持する支持部によって貯蔵室の貯蔵スペースが狭くなることを抑制することを目的としている。
【課題を解決するための手段】
【０００６】
本発明の実施の形態の冷蔵庫は、冷蔵庫本体に設けられる貯蔵室と、前記貯蔵室の内部に取り外し可能に設けられる棚部材と、前記貯蔵室の内壁に設けられ、前記棚部材を支持する支持部と、を有する。前記支持部は、前記貯蔵室の内壁の表面に対して凹んだ凹部に形成されている。
【図面の簡単な説明】
【０００７】
【図１】本発明の第１の実施形態を示す冷蔵庫の正面図である。
【図２】図１の冷蔵庫の扉を外した状態の内部構造を示す正面図である。
【図３】図１の冷蔵庫の内箱の斜視図である。
【図４Ａ】図１の冷蔵庫に使用される棚部材の平面図である。
【図４Ｂ】図１の冷蔵庫に使用される棚部材の右側面図である。
【図４Ｃ】図１の冷蔵庫に使用される棚部材の裏側から見た斜視図である。
【図５】図２の棚部材が取り付けられた部位周辺の斜視図である。
【図６】棚部材の上に、寝かせた状態の円筒形状の貯蔵物の一部が位置するように収納した状態を示す斜視図である。
【図７】図６の棚部材周辺を正面図から見た断面図である。
【図８】図１の冷蔵庫の扉に形成した切欠凹部の周辺を示す断面図である。
【図９】図８の扉の切欠凹部の周辺を示す斜視図である。
【図１０】図３の内箱に設けたフック周辺を示す斜視図である。
【図１１】図１０のフックを利用して棚部材を取り付けた部位を断面で示す斜視図である。
【図１２】貯蔵室底面に凹凸形状を備える冷蔵庫の内部構造を示す斜視図である。
【図１３】図１２のＡ部を拡大した斜視図である。
【図１４】貯蔵室底面の凹凸形状の他の例を示す斜視図である。
【図１５】貯蔵室底面の凹凸形状のさらに他の例を示す斜視図である。
【図１６Ａ】第２の実施形態の冷蔵庫の内部構造を上方から見た断面図である。
【図１６Ｂ】図１６ＡのＢ矢視図である。
【図１６Ｃ】図１６ＢのＣ−Ｃ断面図である。
【図１７Ａ】図１６Ａの冷蔵庫に使用する棚部材の平面図である。
【図１７Ｂ】図１７ＡのＤ−Ｄ断面図である。
【図１８Ａ】第３の実施形態の冷蔵庫の後方上部を側方から見た断面図である。
【図１８Ｂ】図１８Ａの冷蔵庫の扉を外した状態の上部の正面図である。
【図１９】第１の実施形態に対し、棚部材を膨出部の上側の貯蔵領域に取り付けた例を示す、図２に対応する正面図である。
【図２０】図１９のＥ−Ｅ断面図である。
【図２１】図１９の冷蔵庫の内箱の斜視図である。
【発明を実施するための形態】
【０００８】
以下、本発明の実施の形態を図面に基づき説明する。なお、以下の説明において、冷蔵庫１における「左右方向」は、図１に示すように冷蔵庫１を正面から見たときの左右方向で、「前後方向」は、冷蔵庫１の前面側を前、後面側（奥側）を後とした前後方向である。
【０００９】
[第１の実施形態]
第１の実施形態の冷蔵庫１は、例えばホテルや病院などの部屋に設置される小型の冷蔵庫である。図２は、図１の冷蔵庫１の前面に設けてある扉３を省略した内部構造を示している。冷蔵庫１は、冷蔵庫本体５を備え、冷蔵庫本体５の内部に貯蔵室７が形成されている。冷蔵庫本体５は、外側板からなる外箱９と、内側板からなる内箱１１とを有し、外箱９と内箱１１との間に図示しない断熱材を配置した断熱構造体である。扉３も断熱構造体である。
【００１０】
貯蔵室７は、冷蔵庫１の前面側に開口部７ａが形成され、開口部７ａは扉３によって開閉される。扉３は、図１中で右側端部のヒンジ１３を介して左右に開閉する。冷蔵庫本体５は、上壁５ａと、下壁５ｂと、左側壁５ｃと、右側壁５ｄと、後壁５ｅとを備えており、これら各壁に囲まれた内側に貯蔵室７が形成される。上壁５ａ、下壁５ｂ、左側壁５ｃ、右側壁５ｄ、後壁５ｅは、外箱９、内箱１１及び断熱材を含んでいる。
【００１１】
貯蔵室７内の上部に隔壁１５を介して冷却器１７が設けられる。隔壁１５は、冷却器１７側から流下する結露水を受けるもので、前方及び左右両側方から後方の左右方向中央に向けて下がるように傾斜している。隔壁１５が受けた結露水は、受皿１８に流下してから貯蔵室７の外部に排出される。冷却器１７は、上壁５ａ及び右側壁５ｄのそれぞれの内面に支持される。冷蔵庫１は、冷却器１７から発生する冷気を、貯蔵室７内で自然対流によって循環させる直冷式（自然対流式）である。隔壁１５の下方の空間が貯蔵室７となる。
【００１２】
図３に示すように、冷蔵庫本体５の内箱１１は、後壁５ｅの下部において、図３では図示していない外箱９と共に前方に向けて膨出する膨出部１９が形成されている。膨出部１９は、下壁５ｂの後端から立ち上がる縦壁１９ａと、縦壁１９ａの上端から後方に向けて屈曲する水平な横壁１９ｂとを備える。なお、ここでの膨出部１９は、内箱１１と外箱９とを含む冷蔵庫本体５に設けられたものであるとする。
【００１３】
縦壁１９ａと横壁１９ｂとに囲まれた、冷蔵庫本体５の下部後方の外側の領域は、図８に一部を示す機械室２０を構成しており、機械室２０に圧縮機２１を配置している。圧縮機２１は、下壁５ｂの下面及び機械室２０を下方から覆っている底板５ｆの上に固定している。圧縮機２１で圧縮した冷媒は、機械室２０内に設けた図示しない凝縮器を経て、前述した冷却器１７に送られる。圧縮機２１、凝縮器及び冷却器１７等は図示しない冷媒配管で接続される。
【００１４】
右側壁５ｄの貯蔵室７の内面には、前後方向に延在する上リブ２３が形成されている。上リブ２３は、横壁１９ｂの上面において後壁５ｅから開口部７ａ付近まで形成されている。上リブ２３の下方には、前後方向に延在する下リブ２５が形成されている。下リブ２５は、縦壁１９ａから開口部７ａ付近まで形成され、上リブ２３と下リブ２５との間に隙間２７が形成されている。
【００１５】
下リブ２５は、右側壁５ｄに形成された部分の後端から右側壁５ｄに対して離れる方向（左方向）に屈曲する屈曲部２５ａを備え、屈曲部２５ａは縦壁１９ａの前面に形成されている。下リブ２５の上面は、横壁１９ｂの上面よりも、図２に示す棚部材２９の棚部３１の上下方向の厚さにほぼ相当する分だけ下方に位置している。上リブ２３の下面は、横壁１９ｂの上面に対し、ほぼ同等かやや上方に位置している。図３に示す隙間２７に、図２に示すように、棚部３１の右側の端部が挿入される。
【００１６】
膨出部１９における縦壁１９ａの前面と横壁１９ｂの上面との境界部に位置する角部１９ｃには、二つの傾斜面部３３，３５が形成されている。傾斜面部３３，３５は、水平面に対してほぼ４５度の角度で傾斜している。左側の傾斜面部３３は、貯蔵室７内における左右方向のほぼ中央に位置している。右側の傾斜面部３５は、右側の端部が、下リブ２５の屈曲部２５ａの端部にほぼ対応する位置にある。
【００１７】
二つの傾斜面部３３，３５相互間には、後方支持部３７が設けられている。後方支持部３７は、角部１９ｃ近傍の横壁１９ｂの上面に左右方向に貫通する横溝３７ａを備えている。後方支持部３７は、横溝３７ａの前方側に、棚部材２９の後部外周リブ４５ａが係止されるフック３７ｂが形成される。二つの傾斜面部３３，３５は、貯蔵室７の内壁の表面（膨出部１９の角部１９ｃ周辺の表面）に対して凹んだ凹部を構成しており、当該凹部から支持部としてのフック３７ｂが突出するようにして形成される。フック３７ｂは、膨出部１９（縦壁１９ａ、横壁１９ｂ及び角部１９ｃ）の表面から外部に突出しておらず、側面視で凹部内に収まっている。
【００１８】
左側の傾斜面部３３から縦壁１９ａの上部にわたり、前方に向けて突出する突起３９が形成されている。突起３９は、傾斜面部３３において後方支持部３７から離れた左側に位置しており、貯蔵室７における左右方向の中央位置よりやや左側に位置する。突起３９は、上面３９ａ及び下面３９ｂがほぼ水平面であり、上面３９ａの前端と下面３９ｂの前端とを上下方向につなぐ前面３９ｃがほぼ鉛直面である。したがって、上面３９ａ及び下面３９ｂと、前面３９ｃとはほぼ直角である。
【００１９】
次に棚部材２９について説明する。
【００２０】
棚部材２９は、図２に示すように冷蔵庫本体５に取り付けた状態で、左側の端部が貯蔵室７における左右方向の中央位置よりやや左側に位置する。この状態で、棚部材２９より左側の貯蔵室７の空間に、例えば２Ｌ入りのペットボトル４１を立てた状態で貯蔵できる。
【００２１】
棚部材２９は、図４Ａに示すように、平面視で左右方向に長い長方形状の棚部３１を備えている。棚部３１の上に貯蔵物を載せることができる。棚部３１には、前後方向に長い貫通孔３１ａが複数形成されている。図４Ｃに示すように、棚部３１の裏側における貫通孔３１ａの周縁には、リブ３１ｂが形成されている。リブ３１ｂは図２中で下方に突出している。
【００２２】
図２に示すように、棚部材２９は、棚部３１の左側の端部において下方に向けて突出する突出部４３を備えている。突出部４３は、図４Ｂに示すように、側面視で大略三角形状の左側板４３ａと、左側板４３ａに対して離間している右側板４３ｂとを備えている。右側板４３ｂは、左側板４３ａの後方側（図４Ｂ中で右側）に位置して上下方向に長い上下長部分４３ｂ１と、上下長部分４３ｂ１の上端から前方側（図４Ｂ中で左側）に延設されて前後方向に長い前後長部分４３ｂ２とを備えている。
【００２３】
右側板４３ｂの上下長部分４３ｂ１の下部と、左側板４３ａの後方側の下部とが底板４３ｃによりつながっている。図４Ｃに示すように、左側板４３ａと右側板４３ｂとは、前方側においても、前板４３ｄによりつながっている。
【００２４】
棚部材２９を図２、図５のように取り付けた状態で、左側板４３ａと右側板４３ｂとの間の空間に、図３に示した内箱１１の突起３９が入り込む。このとき、左側板４３ａ及び右側板４３ｂは、突起３９の左右両側部に近接しており、底板４３ｃは、突起３９の下面３９ｂに近接している。
【００２５】
棚部材２９を図２、図５のように取り付けた状態で、突出部４３の後部４３ｅが内箱１１の縦壁１９ａに当接する。この場合、後部４３ｅが当接する部分の縦壁１９ａは、棚部材２９の下方への移動を規制する後方当接部４４となる。後部４３ｅは、左側板４３ａ、右側板４３ｂ及び底板４３ｃの縦壁１９ａに対向する部分であり、図４Ｂに示すように、棚部３１の後方側の端部よりもやや前方に位置している。
【００２６】
棚部材２９は、突出部４３が形成された部分を除く棚部３１の外周縁に、下方に向けて突出する外周リブ４５が形成されている。棚部３１は、外周リブ４５と共に前方に向けて凹むようにして形成した二箇所の切欠部４７，４９を備えている。二箇所の切欠部４７，４９は、棚部材２９の左右方向中心に対して左右両側に位置している。左側の切欠部４７は、左側の傾斜面部３３の右側に対応した位置にあり、右側の切欠部４９は、右側の傾斜面部３５の左右方向の長さにほぼ対応した位置にある。
【００２７】
二箇所の切欠部４７，４９相互間の外周リブ４５を含む棚部３１は、切欠部４７，４９に対して後方に突出した形状となる。この突出した形状部分の後部外周リブ４５ａが、内箱１１の横溝３７ａに上方から入り込む係止部となる。
【００２８】
棚部材２９を図５のように取り付けた状態では、図６に示すように、例えば５００ｍＬ入りの缶５１等の円筒形状の貯蔵物を寝かせた状態で前後方向に沿って収納することができる。缶５１は、膨出部１９の横壁１９ｂと棚部３１とにわたって載せられる。このとき、図７に示すように、断面円形の缶５１は、前後方向に長い貫通孔３１ａに外周部の一部が入り込んで、左右方向への転がり移動が抑制される。
【００２９】
図８に示すように、扉３は、表側に位置する例えば金属製の表板５３と、裏側に位置する例えば樹脂製の裏板５５との間に断熱材５７が充填されている。裏板５５は、扉３の外周縁に沿って内側に突出する突起５５ａが形成されている。突起５５ａ内にも断熱材５７が充填されている。突起５５ａは、扉３を閉じたときに、扉３と冷蔵庫本体５との間の隙間５９を覆うように貯蔵室７側に突出している。突起５５ａより外周側の裏板５５には、パッキン６１が取り付けられ、扉３を閉じたときに、パッキン６１が冷蔵庫本体５に密接して貯蔵室７を密閉する。
【００３０】
図８、図９に示すように、突起５５ａは、図２に示すペットボトル４１に対応する部分に切欠凹部５５ａ１が形成されている。切欠凹部５５ａ１を形成することで、２Ｌ入りのペットボトル４１は扉３に接触することなく容易に収納することができる。この場合、断熱性能を確保するための突起５５ａを必要最小限の部位のみ切り欠くことにより、断熱性能の確保と貯蔵物の収納スペースの確保とを同時に達成できる。
【００３１】
次に、棚部材２９の冷蔵庫本体５に対する着脱方法について説明する。
【００３２】
棚部材２９を冷蔵庫本体５に取り付ける際には、側部外周リブ４５ｂを前方から隙間２７に挿入する。このとき、棚部３１は、後部が前部よりも上方となるよう前後方向にやや傾けた状態とすることで、後部外周リブ４５ａが横溝３７ａに入り込みやすくなる。隙間２７の上下の間隔を、側部外周リブ４５ｂの上下高さよりもやや大きくすることで、棚部３１を前後方向に傾けることができる。
【００３３】
フック３７ｂの上部は、図１０、図１１に示すように面取り３７ｂ２を施してある。このため、棚部材２９を後方へ押し込むときに、後部外周リブ４５ａは、下端が後方支持部３７の上部に当接しても、弾性変形しながら面取り３７ｂ２に沿って容易に移動し、横溝３７ａに入り込む。棚部材２９を後方へ押し込むことで、内箱１１の突起３９が突出部４３の内部空間に入り込む。
【００３４】
棚部材２９を冷蔵庫本体５から取り外す際には、棚部材２９を前方へ引き抜けばよいが、このとき、棚部３１は、取り付けるときと同様に、後部が前部よりも上方となるよう前後方向にやや傾けた状態とする。図１０、図１１に示すように、フック３７ｂは、横溝３７ａ側に傾斜部３７ｂ３を形成しているので、後部外周リブ４５ａが傾斜部３７ｂ３に当接しても、弾性変形しながら傾斜部３７ｂ３に沿って容易に移動し、横溝３７ａから取り出せる。傾斜部３７ｂ３と面取り３７ｂ２との間の上部３７ｂ４は断面円弧形状としているので、後部外周リブ４５ａは、断面円弧形状の上部３７ｂ４に沿って容易に移動する。このように、棚部材２９の冷蔵庫本体５に対する着脱作業は極めて容易にできる。
【００３５】
次に、本実施形態の作用効果を説明する。
【００３６】
本実施形態は、冷蔵庫本体５に設けられる貯蔵室７と、貯蔵室７の内部に取り外し可能に設けられる棚部材２９と、貯蔵室７の内壁に設けられ、棚部材２９を支持するフック３７ｂと、を有する。フック３７ｂは、貯蔵室７の内壁の表面に対して凹んだ傾斜面部３３，３５に形成されている。この場合、フック３７ｂが、貯蔵室７の内壁（縦壁１９ａ、横壁１９ｂ）の表面から突出しておらず、側面視で傾斜面部３３，３５に収まるように形成されている。このため、貯蔵室７の貯蔵スペースがフック３７ｂによって狭くなることを抑制できる。
【００３７】
例えば、図１１に示すように、棚部材２９の下方の空間に５００ｍＬ入りの缶５１を立てた状態で収納する場合を想定する。この場合、フック３７ｂが膨出部１９の表面から前方や上方等に突出していないため、缶５１は、フック３７ｂが邪魔になることなく膨出部１９（縦壁１９ａ）により近づけて収納できる。さらに、図６のように缶５１を寝かせた状態で横壁１９ｂ及び棚部材２９の上に載せて収容する場合でも、缶５１は、フック３７ｂが邪魔になることなく効率よく収納できる。
【００３８】
本実施形態の貯蔵室７は、後方側の内壁（後壁５ｅ）から前方に突出する膨出部１９が設けられ、膨出部１９の角部１９ｃに傾斜面部３３，３５が設けられている。膨出部１９を有することによって貯蔵室７の貯蔵スペースがより狭くなるが、狭くなる貯蔵スペースは、フック３７ｂを傾斜面部３３，３５に収まるように設けることで、より有効に使用することができる。
【００３９】
本実施形態は、貯蔵室７の後方側の外側下部に、圧縮機２１を収容する機械室２０が形成され、機械室２０によって膨出部１９が形成される。圧縮機２１を用いた小型の冷蔵庫１では、特に膨出部１９があるために、奥行き方向のスペースが制限される。しかし、フック３７ｂを傾斜面部３３，３５に収まるように設けることで、奥行き方向のスペースをより有効に使用することができる。
【００４０】
本実施形態の冷蔵庫１は、貯蔵室７の上部に貯蔵室７を冷却する冷却器１７が設けられ、冷却器１７による冷気の自然対流によって貯蔵室７を冷却する。膨出部１９は、貯蔵室１７の後方側の外側下部に設けられ、膨出部１９の縦壁１９ａの前面と横壁１９ｂの上面との間の角部１９ｃに凹部が形成される。凹部は、縦壁１９ａの前面及び横壁１９ｂの上面に対して傾斜する傾斜面部３３，３５により構成され、棚部材２９は、傾斜面部３３，３５に設けられるフック３７ｂに支持された状態で後部が傾斜面部３３，３５に対向している。
【００４１】
冷却器１７からの冷気は、膨出部１９の横壁１９ｂ上に流下した後、傾斜面部３３，３５に沿って棚部材２９の下方に向けて流れ、棚部材２９の下方に収納した貯蔵物を冷却する。このとき棚部材２９は、傾斜面部３３，３５に沿う冷気の流れを許容する。棚部材２９が傾斜面部３３，３５に設けられたフック３７ｂに支持されることで、フック３７ｂが邪魔になることなく貯蔵スペースを有効利用できる。
【００４２】
本実施形態の棚部材２９は、フック３７ｂに支持された状態で、膨出部１９に対向する後部に、膨出部１９の傾斜面部３３，３５との間隔を大きくするように切り欠かれた切欠部４７，４９が設けられている。この場合、冷却器１７から流下する冷気が、切欠部４７，４９を通って棚部材２９の下方に向けて流れる。これにより、棚部材２９の下方に収納した貯蔵物を効率よく冷却することができ、冷却性能が向上する。
【００４３】
図１２は、図２のペットボトル４１に加え、棚部材２９の下方の空間に５００ｍＬ入りの缶５１を立てた状態で複数収納している。ここでの冷蔵庫本体５の下壁５ｂの上面（内箱１１の上面）は、図１３にも示すように、凹み部６３を有する凹凸形状としている。凹み部６３は、ペットボトル４１及び缶５１を収納する位置に対応して形成している。凹み部６３は、ペットボトル４１や缶５１から流下する水滴等の液体を溜めることができ、当該液体の冷蔵庫外部への漏れを抑制する。
【００４４】
図１４、図１５は、凹凸形状の他の例を示している。図１４は、矩形状の複数の凸部６５の周囲が凹み部６７となっており、凹み部６７に液体を溜めることができる。図１５は、左右方向に延びる直線状の凹み部６９を複数形成しており、凹み部６９に液体を溜めることができる。
【００４５】
上記した実施形態では、ホテルや病院などの部屋に設置される小型の冷蔵庫１を例にして説明したが、一般に家庭で使用される通常の冷蔵庫にも本発明を適用できる。この場合、圧縮機２１によって形成される膨出部１９に代えて、貯蔵室の後方側に形成される冷気通路や、冷気通路内に配置した冷却器によって膨出部が形成されることがある。これら冷気通路や冷却器は、貯蔵室側がカバー部材で覆われる。したがって、膨出部はカバー部材に形成される。
【００４６】
冷気通路や冷却器によって形成される膨出部の貯蔵室側に凹部を形成し、当該凹部に棚部材を支持する支持部を形成することができる。これにより、通常の冷蔵庫においても、膨出部があるために、奥行き方向のスペースが制限されたとしても、棚部材を支持する支持部を凹部に形成することで、奥行き方向のスペースをより有効に使用することができる。
【００４７】
[第２の実施形態]
図１６Ａは、通常の冷蔵庫７１の内部構造を簡略化して示す平面図であり、貯蔵室７３の後部に設けたカバー部材となる冷気ダクト７５によって、冷蔵庫本体７７の後壁７７ｅとの間に冷気通路７９が形成される。冷気通路７９内には図示しない冷却器やファンを設置してあり、冷却器により冷却された冷気が、ファンによって冷気通路７９を流れ、冷気ダクト７５の複数の通気孔７５ｈを通って貯蔵室７に流入する。
【００４８】
貯蔵室７３の前方の開口部７３ａは、扉８１によって開閉される。冷気ダクト７５は、冷気通路７９側に突出する凸部７５ａが形成され、凸部７５ａによって貯蔵室７３側に凹部７５ｂが形成される。凹部７５ｂは、図１６ＡのＢ矢視図である図１６Ｂに示すように、正面視で矩形状である。凹部７５ｂには、支持部としてのフック８３が設けられている。
【００４９】
フック８３は、図１６ＢのＣ−Ｃ断面図である図１６Ｃに示すように、凹部７５ｂの底面から貯蔵室７３側に向けて突出する基部８３ａと、基部８３ａの先端から上方に向けて突出する先端部８３ｂとを備える。フック８３は、先端部８３ｂの貯蔵室７側の端部が、冷気ダクト７５の前面７５ｃと同一面か、前面７５ｃよりも凹部７５ｂ内に収まる側に位置している。
【００５０】
図１７Ａは、フック８３に支持される棚部材８５の平面図である。棚部材８５は、冷気ダクト７５の凹部７５ｂに入り込む突起８７を備えている。突起８７は、図１７ＡのＤ−Ｄ断面図である図１７Ｂに示すように、裏側へ向けてほぼ９０度の角度で屈曲する係止部８７ａを備えている。図１６Ａに示すように、冷蔵庫本体７７の左右の側壁７７ｃ，７７ｄの内壁面には、棚受け８９，９１が互いに対向する方向に突出している。棚受け８９，９１は、棚部材８５の開口部７３ａ側の左右両側部がそれぞれ載せられる。
【００５１】
棚部材８５を貯蔵室７３内に取り付けるには、突起８７をフック８３の上部で冷気ダクト７５の凹部７５ｂに押し込んだ後、棚部材８５を下げることで、係止部８７ａがフック８３の先端部８３ｂの奥側に入り込んで係止される。このとき、棚部材８５は左右両側部が棚受け８９，９１に載せられて支持される。
【００５２】
第２の実施形態は、棚部材８５を支持するフック８３が、貯蔵室７３の内壁の表面（冷気ダクト７５の前面７５ｃ）に対して凹んだ凹部７５ｂに形成されている。この場合、フック８３が、冷気ダクト７５の前面７５ｃから突出しておらず、凹部７５ｂ内に収まるように設けられているため、貯蔵室７３の貯蔵スペースがフック８３によって狭くなることを抑制できる。特に、フック８３を上下方向に複数設けてある場合には、使用していないフック８３が邪魔になりやすい。
【００５３】
図１６Ａに示すように、冷気ダクト７５のフック８３が設けられる位置には凹部７５ｂが形成され、凹部７５ｂによって、冷気通路７９側に突出する凸部７５ａが形成される。凸部７５ａは、冷気通路７９内における冷気の流れを整流する機能を有する。例えば、フック８３が設けられる凸部７５ａを上下方向に複数設ける構成とし、その際、凸部７５ａの左右方向の位置を上下方向で変化させる。これにより、冷気の流れを凸部７５ａによって通気孔７５ｈに効率よく導くことが可能となる。
【００５４】
[第３の実施形態]
図１８Ａに示す冷蔵庫９３は、圧縮機９５が冷蔵庫本体９７の後方側の上部に設置されている。冷蔵庫本体９７は、後方側の上部に圧縮機９５を収容するための機械室となる凹所９９が形成されている。凹所９９は、冷蔵庫本体９７の後壁９７ｅの上端から前方へ向け屈曲して延びる横壁９７ｆと、冷蔵庫本体９７の上壁９７ａの後端から下方へ向けて延びる縦壁９７ｇとを備える。凹所９９によって、貯蔵室１０１は、後方側の内壁から前方に突出する膨出部１０２が形成される。
【００５５】
縦壁９７ｇは、図１６Ａの冷気ダクト７５と同様に、後方に突出する凸部９７ｇ１を備え、当該凸部９７ｇ１によって貯蔵室１０１側に凹部９７ｇ２が形成される。凹部９７ｇ２は、冷蔵庫本体９７の正面図である図１８Ｂに示すように、正面視で矩形状である。凹部９７ｇ２には、支持部としてのフック１０３が形成されている。
【００５６】
フック１０３は、第２の実施形態のフック８３と同様に、凹部９７ｇ２の底面から貯蔵室１０１側に向けて突出する基部１０３ａと、基部１０３ａの先端から上方に向けて突出する先端部１０３ｂとを備える。フック１０３は、先端部１０３ｂの貯蔵室１０１側の端部が、縦壁９７ｇの貯蔵室１０１側の前面９７ｇ３と同一面か、前面９７ｇ３よりも凹部９７ｇ２内に収まる側に位置している。
【００５７】
棚部材８５は、図１７Ａ、図１７Ｂに示したものとほぼ同様である。すなわち、縦壁９７ｇの凹部９７ｇ２に入り込む突起８７を備え、突起８７は、図１８Ａ中で下方へ向けてほぼ９０度の角度で屈曲する係止部８７ａを備えている。図１８Ｂに示すように、冷蔵庫本体９７の左右の側壁９７ｃ，９７ｄの内壁面には、棚受け１０５，１０７が互いに対向する方向に突出している。棚受け１０５，１０７は、棚部材８５の前方側（図１８Ｂ中で紙面手前側）の左右両側部がそれぞれ載せられる。
【００５８】
冷蔵庫本体９７の正面図である図１８Ｂに示すように、圧縮機９５は、冷蔵庫本体９７の左右方向のほぼ中央に位置している。凹部９７ｇ２及び凸部９７ｇ１は、圧縮機９５に対して左右方向で重ならないように、圧縮機９５に対して左右両側にずれた位置にある。
【００５９】
第３の実施形態は、棚部材８５を支持するフック１０３が、貯蔵室１０１の内壁の表面（縦壁９７ｇの前面９７ｇ３）に対して凹んだ凹部９７ｇ２に形成されている。この場合、フック１０３が、縦壁９７ｇの前面９７ｇ３から貯蔵室１０１側に突出しておらず、凹部９７ｇ２内に収まるように設けられている。このため、貯蔵室１０１の貯蔵スペースがフック１０３によって狭くなることを抑制できる。その際、凹部９７ｇ２によって後方に突出する凸部９７ｇ１は、圧縮機９５に対し左右方向にずれた位置にあるため、圧縮機９５への干渉が抑制されている。
【００６０】
以上、本発明の実施形態について説明したが、これらの実施形態は本発明の理解を容易にするために記載された単なる例示に過ぎず、本発明は当該実施形態に限定されるものではない。本発明の技術的範囲は、上記実施形態で開示した具体的な技術事項に限らず、そこから容易に導きうる様々な変形、変更、代替技術なども含む。
【００６１】
例えば、第１の実施形態の冷蔵庫１において、図１９及び図２０に示すように、膨出部１９の横壁１９ｂの上側に位置する上側貯蔵領域７Ａ、換言すれば機械室２０の上側に位置する上側貯蔵領域７Ａに、棚部材２９を取り付けることができる。この場合、図２１にも示すように、内箱１１の右側壁５ｄの内面に、第２上リブ１０９及び第２下リブ１１１を形成する。
【００６２】
第２上リブ１０９及び第２下リブ１１１は、横壁１９ｂと隔壁１５との間にあって、上側貯蔵領域７Ａ内の上下方向ほぼ中央に位置する。第２上リブ１０９及び第２下リブ１１１は、前後方向の長さが同等であり、内箱１１の後壁５ｅから前方に向けて延在し、前端が膨出部１９の縦壁１９ａよりもやや後方に位置している。図１９に示すように、第２上リブ１０９及び第２下リブ１１１の正面視での形状は、上リブ２３及び下リブ２５の正面視での形状とほぼ同等であり、第２上リブ１０９と第２下リブ１１１との間に、上リブ２３と下リブ２５との間の隙間２７と同様な第２隙間１１３が形成されている。
【００６３】
図１９に示すように、内箱１１の後壁５ｅの左右方向中央には、前方に向けて突出する突部１１５が形成され、突部１１５の前側に前述した受皿１８が設けられている。受皿１８が受ける冷却器１１側からの結露水は、突部１１５の裏側に設けてある図２０に示す配管１１７を通して貯蔵室７の外部に排出される。
【００６４】
突部１１５は、上側貯蔵領域７Ａ内で上下方向に延在しており、図２０の断面形状で示すように、前側（図２０中で下側）程左右方向の幅が狭くなっている。突部１１５の先端側の断面形状にほぼ整合するように、棚部材２９の切欠部４７の凹形状が形成されている。なお、図１９及び図２０に示す棚部材２９は、切欠部４７の位置が、図２及び図４Ａに示す棚部材２９に対し左方向にずれ、かつ、左右方向の長さも長くなっており、これにより突部１１５と切欠部４７とが整合する。
【００６５】
したがって、棚部材２９を上側貯蔵領域７Ａで使用する場合には、側部外周リブ４５ｂを前方から第２隙間１１３に挿入しながら、棚部材２９を後方へ押し込むと、図２０に示すように切欠部４７が突部１１５に整合する。このとき棚部材２９は、突出部４３の下端が膨出部１９の横壁１９ｂ上に接触することで、ほぼ水平な状態で支持される。また、突部１１５の先端側の一部のみが切欠部４７に入り込むので、棚部材２９の後端と内箱１１の後壁５ｅとの間には後壁隙間１１９が形成される。
【００６６】
上記した例では、棚部材２９の切欠部４７を突部１１５に整合させて嵌め合わせることで、突部１１５が大きな邪魔になることなく、上側貯蔵領域７Ａにおいて棚部材２９を内箱１１に安定して支持させることができる。このとき、冷却器１７から流下する冷気の一部は、後壁隙間１１９を通って膨出部１９の横壁１９ｂ上に流下し、横壁１９ｂ上に配置した貯蔵物をより効率よく冷却できる。
【００６７】
上記した例の棚部材２９は、第１の実施形態の図２に示す棚部材２９と同様に、上リブ２３、下リブ２５及びフック３７ｂを利用して取り付けることができる。このため、棚部材２９は、図１９及び図２０に示すような上側貯蔵領域７Ａで使用する場合と、図２と同様の位置で使用する場合とのいずれかを選択することができる。したがって、棚部材２９を貯蔵室７内で取り付けて使用する際のバリエーションが増加し、使い勝手が向上する。
【符号の説明】
【００６８】
１，７１，９３  冷蔵庫
５，７７，９７  冷蔵庫本体
７，７３，１０１  貯蔵室
１７  冷却器
１９，１０２  膨出部
１９ｃ  膨出部の角部
２９，８５  棚部材
３３，３５  傾斜面部（凹部）
３７ｂ，８３，１０３  フック（支持部）
４７，４９  切欠部
７５ａ  凸部
７５ｂ，９７ｇ２  凹部
７９  冷気通路
【図１】
2020060320.tif 000003
【図２】
2020060320.tif 000004
【図３】
2020060320.tif 000005
【図４Ａ】
2020060320.tif 000006
【図４Ｂ】
2020060320.tif 000007
【図４Ｃ】
2020060320.tif 000008
【図５】
2020060320.tif 000009
【図６】
2020060320.tif 000010
【図７】
2020060320.tif 000011
【図８】
2020060320.tif 000012
【図９】
2020060320.tif 000013
【図１０】
2020060320.tif 000014
【図１１】
2020060320.tif 000015
【図１２】
2020060320.tif 000016
【図１３】
2020060320.tif 000017
【図１４】
2020060320.tif 000018
【図１５】
2020060320.tif 000019
【図１６Ａ】
2020060320.tif 000020
【図１６Ｂ】
2020060320.tif 000021
【図１６Ｃ】
2020060320.tif 000022
【図１７Ａ】
2020060320.tif 000023
【図１７Ｂ】
2020060320.tif 000024
【図１８Ａ】
2020060320.tif 000025
【図１８Ｂ】
2020060320.tif 000026
【図１９】
2020060320.tif 000027
【図２０】
2020060320.tif 000028
【図２１】
2020060320.tif 000029